(57)【要約】【課題】より高いバックスピン量を、より安定して得られるゴルフクラブヘッドを提供すること。【解決手段】フェース面に複数本のスコアラインが形成されたゴルフクラブヘッドにおいて、前記フェース面に形成され、トウ側からヒール側へ延設された複数本の細溝を備え、各々の前記細溝の深さＤｐが、１０μｍ≦Ｄｐ≦４０μｍであり、各々の前記細溝の断面形状が、前記フェース面側を上底、前記ゴルフクラブヘッドのバック側を下底とし、前記上底＞前記下底である等脚台形形状であり、前記細溝間に形成された突起の底部の幅Ｐｂと、前記下底の幅Ｗｂとが、Ｐｂ＜Ｗｂであることを特徴とする。【選択図】図２
2010088678.tif 000002
【特許請求の範囲】
【請求項１】
フェース面に複数本のスコアラインが形成されたゴルフクラブヘッドにおいて、
前記フェース面に形成され、トウ側からヒール側へ延設された複数本の細溝を備え、
各々の前記細溝の深さＤｐが、
１０μｍ≦Ｄｐ≦４０μｍ
であり、
各々の前記細溝の断面形状が、
前記フェース面側を上底、前記ゴルフクラブヘッドのバック側を下底とし、前記上底＞前記下底である等脚台形形状であり、
前記細溝間に形成された突起の底部の幅Ｐｂと、前記下底の幅Ｗｂとが、
Ｐｂ＜Ｗｂ
であることを特徴とするゴルフクラブヘッド。
【請求項２】
前記突起の上部の幅Ｐｕが、
０＜Ｐｕ≦１５μｍ
であることを特徴とする請求項１に記載のゴルフクラブヘッド。
【請求項３】
前記フェース面の前記細溝を形成した部分の表面粗さが、算術平均粗さ（Ｒａ）で、１．０μｍ以上５．０μｍ以下であることを特徴とする請求項１又は２に記載のゴルフクラブヘッド。
【請求項４】
前記細溝の側面間の狭角θが、
３０度≦θ≦１４０度
であることを特徴とする請求項１乃至３のいずれか１項に記載のゴルフクラブヘッド。
【請求項５】
前記突起間のピッチＰが、
１００μｍ≦Ｐ≦６００μｍ
であることを特徴とする請求項１乃至４のいずれか１項に記載のゴルフクラブヘッド。
【請求項６】
前記スコアラインの断面積Ａ（inch2）と、３０度測定法により測定した前記スコアラインの幅Ｗ（inch）と、隣接する前記スコアラインの距離Ｓ（inch）とが、
Ａ／（Ｗ＋Ｓ）≦０．００３
であり、
前記スコアラインの縁を、
前記スコアラインの側面と前記フェース面とに内接する半径０．０１０インチの第１仮想円と同心であって、半径０．０１１インチの第２仮想円の内側に位置するように形成したことを特徴とする請求項１乃至５のいずれか１項に記載のゴルフクラブヘッド。
【発明の詳細な説明】
【技術分野】
【０００１】
本発明はゴルフクラブヘッドに関するものである。
【背景技術】
【０００２】
一般に、ゴルフクラブヘッドのフェース面にはトウ−ヒール方向に互いに平行な複数の直線状の溝が形成されている。この溝はスコアライン、マーキングライン、フェースライン等と呼ばれている（本書においてはスコアラインと称する。）。このスコアラインは、打球のバックスピン量を増大させたり、或いは、雨天時やラフからのショットの場合に、打球のバックスピン量が著しく低減することを抑制する効果がある。
【０００３】
しかし、スコアラインの工夫により、打球のバックスピン量を増大させることには限界がある。そこで、特許文献１乃至６には、スコアラインに加えて、ミーリング加工により細溝をフェース面に形成したアイアン型のゴルフクラブヘッドが開示されている。また、特許文献７には、ミーリング加工により細溝をフェース面に形成したパターヘッドが開示されている。
【０００４】
【特許文献１】特開平９−２５３２５０号公報
【特許文献２】特開２００８−２３１７８号公報
【特許文献３】特開２００８−１３２１６８号公報
【特許文献４】特開２００８−１３２１６９号公報
【特許文献５】特開２００８−１３６６１９号公報
【特許文献６】特開２００８−１３６９３３号公報
【特許文献７】特開平８−２２９１６９号公報
【発明の開示】
【発明が解決しようとする課題】
【０００５】
特許文献１乃至６に開示されたゴルフクラブヘッドのように、スコアラインに加えて、細溝をフェース面に形成することで、打球のバックスピン量を増大させることができる。しかし、細溝に微細な芝等が挟まって、詰まってしまう場合があり、打球のバックスピン量が安定しない場合がある。
【０００６】
本発明の目的は、より高いバックスピン量を、より安定して得られるゴルフクラブヘッドを提供することにある。
【課題を解決するための手段】
【０００７】
本発明によれば、フェース面に複数本のスコアラインが形成されたゴルフクラブヘッドにおいて、前記フェース面に形成され、トウ側からヒール側へ延設された複数本の細溝を備え、各々の前記細溝の深さＤｐが、１０μｍ≦Ｄｐ≦４０μｍであり、各々の前記細溝の断面形状が、前記フェース面側を上底、前記ゴルフクラブヘッドのバック側を下底とし、前記上底＞前記下底である等脚台形形状であり、前記細溝間に形成された突起の底部の幅Ｐｂと、前記下底の幅Ｗｂとが、Ｐｂ＜Ｗｂであることを特徴とするゴルフクラブヘッドが提供される。
【発明の効果】
【０００８】
本発明によれば、より高いバックスピン量を、より安定して得られるゴルフクラブヘッドを提供することができる。
【発明を実施するための最良の形態】
【０００９】
図１は本発明の一実施形態に係るゴルフクラブヘッド１の外観図である。同図の例はアイアン型のゴルフクラブヘッドに本発明を適用した例を示す。本発明は、アイアン型のゴルフクラブヘッド、特に、ミドルアイアン、ショートアイアン、ウェッジ型のゴルフクラブヘッドに好適であり、具体的には、ロフト角が３０度以上７０度以下、ヘッド重量が２４０ｇ以上３２０ｇ以下のゴルフクラブヘッドに好適である。しかし、本発明はウッド型やユーティリティー型（ハイブリッド型）のゴルフクラブヘッドにも適用できる。
【００１０】
ゴルフクラブヘッド１は、そのフェース面（打撃面）１０に複数本のスコアライン２０が形成されている。各々のスコアライン２０はトウ−ヒール方向に延設された、互いに平行な直線状の溝である。また、フェース面１０には、複数本の細溝３０が形成されている。本実施形態の場合、細溝３０はスコアライン２０と平行にトウ−ヒール方向に延設された直線状の溝であるが、トウ−ヒール方向に延設された円弧状又は楕円弧状の溝としてもよい。図２は、スコアライン２０及び細溝３０の、その長手方向（トウ−ヒール方向）に直交する方向の断面図及び細溝３０の拡大断面図である。図中、破線１０'はフェース面１０と同一の平面上の仮想線を示す。まず、スコアライン２０について説明する。
【００１１】
本実施形態において、スコアライン２０の断面形状は、その長手方向の両端部を除き、同じである。また、各々のスコアライン２０の断面形状は同じである。更に、本実施形態の場合、スコアライン２０の断面形状は、その幅方向の仮想中心線ＣＬａに対して対称である。仮想中心線ＣＬａはフェース面１０に直交し、スコアライン２０の幅Ｗの中点を通る線である。本実施形態の場合、スコアライン２０の断面形状は台形状であるが、Ｖ字形状等、他の形状でもよい。
【００１２】
スコアライン２０は、一対の側面２２及び底面２３を有する。スコアライン２０の縁２１は側面２２とフェース面１０との境界部分である。この縁２１には丸みを設けてもよい。角度θ０は側面２２とフェース面１０とがなす角度である。角度θ０が大きいほど打球のスピン量が高くなる。底面２３はフェース面１０と平行である。深さＤ０はフェース面１０からスコアライン２０の最深部である底面２３までの距離である。競技用ゴルフクラブヘッドの場合、ルール上、深さＤ０は０．０２０インチ（０．５０８ｍｍ）以下としなければならない。
【００１３】
図３は３０度測定法によるスコアライン２０の幅Ｗ及びスコアライン２０間の距離Ｓの説明図である。幅Ｗは、競技用ゴルフクラブのルールの、いわゆる３０度測定法により測定した場合の幅を意味する。すなわち、フェース面１０から３０度傾斜した仮想線と、スコアライン２０の縁２１との接点間の距離を意味する。各スコアライン２０間の距離Ｓは、隣接するスコアライン２０において、フェース面１０から３０度傾斜した仮想線と、スコアライン２０の縁２１との接点間の距離を意味する。
【００１４】
競技用ゴルフクラブヘッドの場合、スコアライン２０の断面積、幅Ｗ並びに距離Ｓが、断面積Ａ（inch2）／（Ｗ（inch）＋Ｓ（inch））≦０．００３となる必要がある（以下、面積ルールという。）。なお、メートル単位の場合、断面積Ａ（mm2）／（Ｗ（mm）＋Ｓ（mm））≦０．０７６２である。ゴルフクラブヘッド１を競技用ゴルフクラブヘッドとする場合は、面積ルールを満たすように設計する。
【００１５】
競技用のゴルフクラブヘッドのスコアラインに関するルールとしては、面積ルール以外に、スコアラインの側面とフェース面とに内接する半径０．０１０インチの仮想円と同心であって、半径０．０１１インチの仮想円の内側に、スコアラインの縁が位置しなければならない（以下、２円ルールという。）。
【００１６】
しかし、２円ルールを満たすためには、スコアラインの側面とフェース面とがなす角度（上記の角度θ０）を小さくせざるを得ない。この場合、スピン量が低下するだけでなく、スコアラインの容積も小さくなるため、ラフからのショットや雨天時のショットの場合にスピン量が著しく低下する畏れがある。
【００１７】
図４は、スコアライン２０の他の例（スコアライン２０'）を示す図である。以下、スコアライン２０'について、スコアライン２０と同様の構成については同じ符号を付して説明を割愛し、異なる構成についてのみ説明する。
【００１８】
図４において、仮想円Ｃ１は、側面２２とフェース面１０とに内接する半径０．０１０インチの円であり、仮想円Ｃ２は、仮想円Ｃ１と同心であって、半径０．０１１インチの円である。上述した２円ルールに適合するためには、仮想円Ｃ２の内側にスコアラインの縁が位置している必要がある。
【００１９】
スコアライン２０'では縁の部分に平坦面２１'を設けることで、２円ルールを満たすようにしている。なお、縁の形状としては、平坦面２１'以外に、丸み、切り欠きでもよい。ゴルフクラブヘッド１を競技用ゴルフクラブヘッドとする場合は、２円ルールも満たすように設計する。
【００２０】
次に、細溝３０について図２を参照して説明する。本実施形態の場合、多数の細溝３０がその長手方向と直交する方向（スコアライン２０の長手方向と直交する方向）に等ピッチで配列されている。しかし、細溝３０のピッチは等ピッチでなくてもよい。
【００２１】
細溝３０は、一対の側面３１及び底面３２を有し、その断面形状は、その幅方向の仮想中心線ＣＬｂに対して対称である。細溝３０の断面形状は、フェース面１０側を上底（幅Ｗｕ）、ゴルフクラブヘッド１のバック側を下底（幅Ｗｂ）とした等脚台形状であり、幅Ｗｕ＞幅Ｗｂである。細溝２０の断面形状は、その長手方向の両端部を除き、同じである。角度θは一対の側面３１の狭角である。深さＤｐは、フェース面１０（仮想線１０'）から底面３２までの距離である。
【００２２】
細溝３０を形成した結果、フェース面１０には、細溝３０間には、突起４０が形成されている。突起４０は幅Ｐｂの底部と、幅Ｐｕの上部（上面）と、を有する。幅Ｐｂ＜幅Ｗｂである。突起４０の断面形状は、細溝３０の仕様によって異なり、図２に示すような等脚台形状となるか、又は、三角形状（Ｐｕ≒０）となる。ピッチＰは突起４０の配設間隔を示し、細溝３０のピッチと同義である。
【００２３】
突起４０は、インパクトの際、ボール表面に引っかかり、打球にバックスピンを生じさせる。このように本実施形態では、スコアライン２０に加えて、突起４０（細溝３０）により、打球のバックスピン量をより高くすることができる。
【００２４】
ここで、本実施形態では、細溝３０の断面形状を、上底の幅Ｗｕ＞下底の幅Ｗｂである、等脚台形状としているため、芝等が細溝３０内に噛みずらく、また、細溝３０内に入った芝等が細溝３０から抜け易い。したがって、細溝３０に微細な芝等が挟まって、詰まってしまうことを防止できる。加えて、幅Ｐｂ＜幅Ｗｂとして、細溝３０の底面３２を広くしたことにより、細溝３０に微細な芝等が挟まって、詰まってしまうことを更に防止できる。
【００２５】
深さＤｐは、余り浅いとバックスピン量増大の効果が薄れるため、１０μｍ以上必要である。一方、深さＤｐは、より深い方が突起４０のボール表面に対する引っかかりがよくなるが、余り深いとボール表面に傷が付きやすくなる。よって、深さＤｐは４０μｍ以下とする。従って、深さＤｐは、１０μｍ≦Ｄｐ≦４０μｍである。なお、競技用のゴルフクラブヘッドでは、ルール上、フェース面の表面粗さが最大高さ（Ｒｙ）で２５μｍ以下であることが定められている。したがって、ゴルフクラブヘッド１を競技用ゴルフクラブヘッドとする場合は、深さＤｐを、１０μｍ≦Ｄｐ≦２５μｍとする。
【００２６】
突起４０の上部の幅Ｐｕは、余り広いとバックスピン量増大の効果が薄れるため、１０μｍ以下とすることが好ましい。幅Ｐｕは、狭い方が突起４０のボール表面に対する引っかかりがよくなり、バックスピン量を増大できる。したがって、幅Ｐｕは、０μｍ＜Ｐｕ≦１５μｍが好ましい。
【００２７】
細溝３０及び突起４０は、フェース面１０の算術平均粗さ（Ｒａ）に影響する。フェース面１０の表面粗さは粗い方がバックスピン量を増大できるが、ボール表面に傷が付きやすくなる。従って、フェース面１０の細溝３０を形成した部分の表面粗さは、算術平均粗さ（Ｒａ）で、１．０μｍ以上５．０μｍ以下であることが好ましく、更に好ましくは１．５μｍ以上である。なお、競技用のゴルフクラブヘッドでは、ルール上、フェース面の表面粗さが算術平均粗さ（Ｒａ）で４．５７μｍ以下であることが定められている。したがって、ゴルフクラブヘッド１を競技用ゴルフクラブヘッドとする場合は、フェース面１０の算術平均粗さ（Ｒａ）を４．５７μｍ以下となるように設計する。
【００２８】
角度θは、余り小さいと突起４０が細くなりすぎて磨耗が早くなる。したがって、角度θは３０度以上が好ましい。角度θが大きくなればなるほど、突起４０のボール表面に対する引っかかりが悪くなり、バックスピン量増大の効果が薄れる。よって、角度θは１４０度以下が好ましい。
【００２９】
ピッチＰは、小さいほど細溝３０に微細な芝等が挟まって、詰まり易くなり、また、突起４０のボール表面に対する引っかかりも悪くなる。したがって、ピッチＰは１００μｍ以上であることが好ましい。一方、ピッチＰが余り大きいと、ボール表面に引っかかる突起４０の数が少なくなり、バックスピン量増大の効果が薄れる。よって、ピッチＰは６００μｍ以下であることが好ましい。
【００３０】
次に、ショートアイアンやウェッジでは、そのフェース面を開いてゴルフボールにバックスピンがかかり易くなるようにショットする場合がある。図５（Ａ）はフェース面１０をターゲット方向に直角に向けた場合を示し、図５（Ｂ）はフェース面１０を開いた場合を示している。なお、図５（Ａ）及び図５（Ｂ）において細溝３０は図示省略されている。また、図５（Ａ）及び図５（Ｂ）において、矢印は打撃時のフェース面１０に対するゴルフボールＢの相対移動方向を示す。
【００３１】
図５（Ｂ）のようにフェース面１０を開いた場合、打撃時にゴルフボールＢはスコアライン２０及び細溝３０を斜めに横切るようにしてフェース面１０上を摺動することになる。細溝３０の長手方向に直交する方向（つまり、配列方向）が同図の矢印で示す方向と、より平行である方が、ゴルフボールＢの表面に引っかかる突起４０の数が多くなり、ゴルフボールＢにバックスピンが係り易くなる。そこで、細溝３０をスコアライン２０と平行にせずに、交差するようにしてもよい。
【００３２】
図６は、細溝３０がスコアライン２０と交差したゴルフクラブヘッド２の外観図である。ゴルフクラブヘッド２は、ゴルフクラブヘッド１と細溝３０の配列方向ｄｒのみが異なる。同図の例において、配列方向ｄｒと、スコアライン２０の長手方向とがなす角度θｒは、スコアライン２０のトウ側から時計回りに見て約４５度である。このように細溝３０の配列方向ｄｒを設定することで、フェース面１０を開いた場合に打球のバックスピン量を高めることができる。
【００３３】
角度θｒは、例えば、２０度以上９０度以下の範囲で設定でき、ショートアイアンやウエッジの場合、フェース面１０を開く場合が多いことから、４０度以上７０度以下の範囲で設定することが望ましい。
【００３４】
次に、細溝３０の形成方法について説明する。細溝３０はフェース面１０に対するミーリング加工による切削跡として形成することができる。細溝３０のミーリング加工による形成は、例えばＮＣ（数値制御）フライス盤を用いて行なうことができる。図７（Ａ）及び（Ｂ）はＮＣフライス盤による細溝３０の形成方法の説明図である。
【００３５】
図７（Ａ）に示すように、スコアライン２０及び細溝３０が未加工のゴルフクラブヘッド１'はＮＣフライス盤に治具３を介して固定される。なお、本実施形態の場合、フェース面１０がゴルフクラブヘッドに一体成形された場合について説明するが、フェース面１０を構成するフェース部材と、ヘッド本体とを別部材として接合してもよく、この場合、フェース部材をＮＣフライス盤に固定してスコアライン２０及び細溝３０を形成すればよい。
【００３６】
ＮＣフライス盤は、Ｚ軸回りに回転駆動されるスピンドル４を有し、スピンドル４の下端には切削ツール（エンドミル）５が取り付けられている。また、切削ツール５の先端形状は細溝３０の断面形状に応じたものを使用し、図７（Ｂ）に示すように、等脚台形状の切削ツール５であれば、一本の細溝３０を切削ツール５を往復移動させることなく形成できる。
【００３７】
しかして、ＮＣフライス盤において、フェース面１０の平面座標を設定した後、スピンドル４を回転駆動し、フェース面１０（ゴルフクラブヘッド１'）又は切削ツール５を細溝３０の形成方向に相対的に移動しながら、フェース面１０を切削する。一つの細溝３０を形成すると、切削ツール５をフェース面１０から離間させた後、細溝３０の配列方向に切削ツール５を相対的に移動し、次の細溝３０を形成することで、順次細溝３０が形成される。全ての細溝３０を形成すると、切削ツール５を交換して、スコアライン２０を形成する。
【００３８】
なお、スコアライン２０や細溝３０の形成方法としては、ミーリング加工以外にも、放電加工や鋳造等、他の形成方法も採用可能である。
【００３９】
次に、フェース面１０に細溝３０を形成すると、フェース面１０の表面硬度が低下し、磨耗し易くなる場合がある。そのため、細溝３０の形成後、フェース面１０の硬度を硬くする表面処理を行うことが好ましい。このような表面処理としては、浸炭処理、窒化処理、軟窒化処理、ＰＶＤ（Physical Vepor Deposition）処理、イオンプレーティング、ＤＬＣ（ダイヤモンド  ライク  カーボン）処理、めっき処理等が挙げられる。特に、浸炭処理や窒化処理といった、表面に別の金属層を形成せず、表面を改質する表面処理が好ましい。
【実施例】
【００４０】
細溝の仕様が異なるゴルフクラブヘッド＃１〜＃４及び＃１１〜＃２４を作成し、これらを装着したゴルフクラブによりバックスピン量及び細溝の目詰まり具合を評価した。図８はゴルフクラブヘッド＃１〜＃４及び＃１１〜＃２４の細溝の仕様、バックスピン量及び細溝の目詰まり具合の評価結果及フェース面の表面粗さに関わるルール適合性を示す図である。
【００４１】
いずれのゴルフクラブヘッドも細溝の仕様のみが異なるサンドウェッジとした。細溝は図１のゴルフクラブヘッド１のように、スコアラインに平行に多数形成した。
【００４２】
図８において、「細溝形状」とは、細溝の断面形状を意味する。＃１のゴルフクラブヘッドのみ、細溝の断面形状が方形であり、他のゴルフクラブヘッドは図２に示したような等脚台形状である。
【００４３】
「Ｗｂ／Ｐｂ」は、図２に示した細溝３０の下底の幅Ｗｂと、突起の底部の幅Ｐｂとの比に相当し、１未満で幅Ｐｂの方が大きく、１を超えると幅Ｗｂの方が大きいことになる。＃２〜＃４のゴルフクラブヘッドは、幅Ｗｂよりも幅Ｐｂの方が大きい。「Ｐｕ」は図２に示した突起４０の上部の幅Ｐｕに相当する。「θ」は、図２に示した細溝３０の一対の側面３２の狭角に相当する。「Ｄｐ」は、図２に示した細溝３０の深さＤｐに相当する。「Ｐ」は、図２に示した突起４０のピッチＰに相当する。これらはいずれも設計値である。「表面粗さ（Ｒａ）」は、フェース面の算術平均粗さであり、実測値である。
【００４４】
バックスピン量及び細溝の目詰まり具合の評価は、グリーンから約３０ヤード離れたラフから、１つのゴルフクラブについて複数個のゴルフボールをショットして評価した。図８における「スピン量」は、グリーン上での打球の止まり易さを観察して４段階（Ａ〜Ｄ）で評価した。Ａが最も打球が止まり易かった、つまり、バックスピン量が多かったことを意味する。「目詰まり具合」は、テスト終了後に、細溝の目詰まり具合を目視にて観察して３段階（Ａ〜Ｄ）で評価した。Ａが目詰まりが最も少なかった。「ルール適合」は、算術平均粗さ（Ｒａ）が４．５７μｍ以下で、かつ、最大高さ（Ｒｙ）が２５μｍ以下であるものを適合（○）とし、そうでないものを不適合（×）とした。
【００４５】
＃１のゴルフクラブヘッドと、＃１１のゴルフクラブヘッドとの比較から、細溝の断面形状が、等脚台形状の方が、細溝の目詰まりが少ないことが分かる。また、＃２〜＃４のゴルフクラブヘッドでは、目詰まり具合がＣ又はＤであるところ、＃１１〜＃２４のゴルフクラブヘッドでは、目詰まり具合がＡ〜Ｃであることから、幅Ｐｂよりも幅Ｗｂの方が大きい方が、細溝の目詰まりが少ないことが分かる。
【００４６】
ピッチＰが同じである＃１１〜＃１４のゴルフクラブヘッドの比較から、幅Ｐｕが小さい方がバックスピン量をより多く得られることが分かる。また、＃１４のゴルフクラブヘッドではバックスピン量がある程度得られていることから、幅Ｐｕは１５μｍ以下であることが好ましい。
【００４７】
ピッチＰ及び深さＤｐが同じ＃１５〜＃１８及び＃２０のゴルフクラブヘッドの比較から、狭角θが大きい方が細溝の目詰まりが少ないことが分かる。また、＃１５のゴルフクラブヘッドでは、ある程度のバックスピン量が得られている一方、＃１８のゴルフクラブヘッドではバックスピン量が余り得られなかったことから、狭角θは３０度以上１４０度以下が好ましい。
【００４８】
＃１９〜＃２１のゴルフクラブヘッドの比較から、深さＤｐは深い方がバックスピン量が、より多く得られることが分かる。＃２０のゴルフクラブヘッドでは、ある程度のバックスピン量が得られたが、＃１９のゴルフクラブヘッドではバックスピン量が最も得られなかったことから、深さＤｐは１０μｍ以上必要である。一方、＃２１のゴルフクラブヘッドでは、スピン量は多いが、目視観察にてボール表面に多少傷が付いていることを確認した。したがって、ボールの傷付きやすさの点で、深さＤｐは４０μｍ以下であることが必要である。なお、上記の通り、競技用のゴルフクラブヘッドでは、ルール上、フェース面の表面粗さが最大高さ（Ｒｙ）で２５μｍ以下であることが定められており、競技用ゴルフクラブヘッドとする場合は、深さＤｐを、１０μｍ≦Ｄｐ≦２５μｍとする。
【００４９】
＃２２〜＃２４のゴルフクラブヘッドの比較から、ピッチＰは大きい方が細溝の目詰まりが少ないことが分かる。＃２５のゴルフクラブヘッドでは、バックスピン量がある程度得られていることから、ピッチＰは６００μｍ以下であることが好ましい。一方、＃２２のゴルフクラブヘッドでは、ある程度細溝の目詰まりがあったことから、ピッチＰは１００μｍ以上が好ましい。
【図面の簡単な説明】
【００５０】
【図１】本発明の一実施形態に係るゴルフクラブヘッド１の外観図である。
【図２】スコアライン２０及び細溝３０の、その長手方向（トウ−ヒール方向）に直交する方向の断面図及び細溝３０の拡大断面図である。
【図３】３０度測定法によるスコアライン２０の幅Ｗ及びスコアライン２０間の距離Ｓの説明図である。
【図４】スコアライン２０の他の例（スコアライン２０'）を示す図である。
【図５】（Ａ）はフェース面１０をターゲット方向に直角に向けた場合を示し、（Ｂ）はフェース面１０を開いた場合を示している。
【図６】細溝３０がスコアライン２０と交差したゴルフクラブヘッド２の外観図である。
【図７】（Ａ）及び（Ｂ）はＮＣフライス盤による細溝３０の形成方法の説明図である。
【図８】ゴルフクラブヘッド＃１〜＃４及び＃１１〜＃２４の細溝の仕様、バックスピン量及び細溝の目詰まり具合の評価結果及フェース面の表面粗さに関わるルール適合性を示す図である。
【符号の説明】
【００５１】
１  ゴルフクラブヘッド
１０  フェース面
２０  スコアライン
３０  細溝
４０  突起
【図１】
2010088678.tif 000003
【図２】
2010088678.tif 000004
【図３】
2010088678.tif 000005
【図４】
2010088678.tif 000006
【図５】
2010088678.tif 000007
【図６】
2010088678.tif 000008
【図７】
2010088678.tif 000009
【図８】
2010088678.tif 000010